(57)【要約】【課題】レーティングテーブル設定画面において、適切なレーティング設定を行うことを可能とした放送受信装置を提供する。【解決手段】放送受信部と、レーティングテーブルを記録した記録部、ＯＳＤ処理部、及びＶ−Ｃｈｉｐを備えた放送受信装置であって、視聴制限指示を受けてレーティングテーブルの内容変更を行うテーブル設定部を備えている。レーティングテーブルは、視聴制限項目を項目単位で設定する項目別テーブルと、一視聴制限項目を設定することによりその他の視聴制限項目が一括設定されるレベル別テーブルとを含んでいる。そしてテーブル設定部は、項目別テーブルの表示指示を受け付けると、項目別テーブルが含む各視聴制限項目を横方向に並べてＯＳＤ表示する。またレベル別テーブルの表示指示を受け付けると、レベル別テーブルが含む各視聴制限項目を縦方向に並べてＯＳＤ表示する。【選択図】図１
2009081548.tif 000002
【特許請求の範囲】
【請求項１】
放送受信部と、
前記放送受信部により受信した放送の視聴制限に用いる視聴制限用テーブルを記録した記録部と、
画像信号の生成、及び重畳を行い表示装置に出力する画像信号重畳部と、
前記視聴制限用テーブルを用いて受信放送の視聴制限を行う視聴制限処理部と、
視聴制限指示を受け付け、前記視聴制限指示に従い前記視聴制限用テーブルの内容変更を行うテーブル設定部と、
を備えた放送受信装置であって、
前記視聴制限用テーブルが、視聴制限項目を項目単位で設定する項目別テーブルと、一視聴制限項目の設定に応じてテーブルに含まれる全ての視聴制限項目が一括設定されるレベル別テーブルとを含んでおり、
前記テーブル設定部が、前記項目別テーブルの表示指示を受け付けた際に、前記画像信号重畳部を用いて、前記項目別テーブルが含む各視聴制限項目を横方向に並べて表示し、
前記レベル別テーブルの表示指示を受け付けた際に、前記画像信号重畳部を用いて、前記レベル別テーブルが含む各視聴制限項目を縦方向に並べて表示すること
を特徴とする放送受信装置。
【請求項２】
前記テーブル設定部が、前記視聴制限用テーブルの設定変更指示を受け付けた際に、前記設定変更指示に含まれるテーブル種別、或いは前記視聴制限用テーブルの管理情報に含まれるテーブル種別から、前記視聴制限用テーブルが前記項目別テーブルであるか、或いは前記レベル別テーブルであるかの判別を行うこと
を特徴とする請求項１に記載の放送受信装置。
【請求項３】
前記視聴制限処理部が、前記テーブル設定部により設定された視聴制限用テーブルと、前記放送受信部により受信された放送信号に含まれる視聴制限フラグとを照合することにより、前記放送信号に含まれる画像及び音声の出力の許可／不許可を決定すること
を特徴とする請求項１または請求項２に記載の放送受信装置。
【発明の詳細な説明】
【技術分野】
【０００１】
本発明は、放送受信装置に関するものであり、特に放送の視聴制限を行うためのＶ−Ｃｈｉｐを搭載した放送受信装置に関する。
【背景技術】
【０００２】
近年、デジタル放送やデータ放送等のテレビ放送の多機能化、多様化により、様々な放送受信機能を備えた放送受信装置が存在する。このような放送受信機能の一つとして、特定の番組の視聴を制限する視聴制限機能が存在する。
【０００３】
例えばＢＳ放送やＣＳ放送においては、番組毎に契約を行うため、契約外の番組についてはスクランブル機能により視聴ができないようになっている。また、アメリカやカナダにおいて採用されているＶ(Violence)−Ｃｈｉｐ制度では、放送局側の基準により番組単位で視聴制限を行うことが可能である。
【０００４】
Ｖ−Ｃｈｉｐ制度においては、放送受信装置の内部に、所定の番組の受信制限を行うためのＶ−Ｃｈｉｐを搭載することが義務づけられている。Ｖ−Ｃｈｉｐとは、過激な暴力や性描写のシーンをテレビ画面に映らないようにするマイクロチップ等からなる装置である。Ｖ−Ｃｈｉｐはユーザから番組の視聴リクエストを受け付けた際に、あらかじめ設定された条件を照合し、指定された番組を画面に映すかどうかを判断する。
【０００５】
Ｖ−Ｃｈｉｐにおいては、番組毎に、視聴を禁止すべき年齢や番組で用いられている言葉遣い等の情報が含まれる制限レベル情報（以下、「レーティング情報」という）が用いられる。レーティング情報を含むＶ−Ｃｈｉｐ信号は通常、放送信号のＶＢＩ（Vertical Blanking Interval＝垂直帰線消去期間）の信号に重畳されて送信される。
【０００６】
ユーザはあらかじめ、視聴を制限したい番組の条件設定（以下、「レーティング設定」という）をＶ−Ｃｈｉｐに行う。これにより、レーティング設定において制限されているレーティング情報を含む番組を子供が選択したとしても、その番組の画像や音声は画面に映し出されず、視聴が不可能となる。
【０００７】
なおＶ−Ｃｈｉｐにレーティング設定を行う場合、設定画面において、ジャンル、言葉遣い等の複数のカテゴリ（以下、「視聴制限項目」という）と、それぞれの視聴制限項目の複数の制限レベルとが表示される。この画面においてリモコン等を操作することにより、それぞれの視聴制限項目について制限の有効／無効、及び制限レベルを選択することができる。
【０００８】
上記に関連して特許文献１においては、ユーザ自身の基準で番組の内容毎に細かく視聴制限を設定することができるＶ−Ｃｈｉｐ搭載テレビジョン放送受信装置が開示されている。このテレビジョン放送受信装置は、Ｖ−Ｃｈｉｐ規制に基づいて設定された視聴レベルで視聴規制されている番組に対する視聴規制の解除要求を受け付けて、その番組の視聴規制の解除処理を行う。また、Ｖ−Ｃｈｉｐ規制に基づいて設定された視聴レベルで視聴規制されていない番組に対する視聴規制の要求を受け付けて、その番組の視聴規制の処理を行う。
【０００９】
番組の視聴要求があると、視聴規制の解除処理と視聴規制の処理とに基づいた視聴の可否を示す視聴可否情報に基づき、出力制御手段により受信した画像／音声情報の視聴可否を判断する。これにより、放送局側や再生機器側の基準に依存することなく、ユーザ自身の基準で番組の内容毎に細かく視聴規制の解除や視聴規制を行うことができる。
【００１０】
また上記に関連して特許文献２においては、Ｖ−Ｃｈｉｐの最適なレーティング設定を容易に行うことができるテレビジョン放送受信装置が開示されている。このテレビジョン放送受信装置は、選局された番組情報に付加された視聴制限情報を、当該番組を特定する情報と対応させて記録する。また記録された各情報を一覧表示する機能を備えている。これにより、過去に選局した番組を特定する情報と、その番組に付された視聴制限情報とを対応させて記録し一覧表示することができる。このため、番組内容とレベルとの対応関係がユーザに分かりやすく、最適なレベルを容易に選定することが可能となる。
【特許文献１】特開２００６−１６６２６３号公報
【特許文献２】特開２００３−１９８９７４号公報
【発明の開示】
【発明が解決しようとする課題】
【００１１】
しかしながら、従来のＶ−Ｃｈｉｐおいては、レーティング設定情報を記録したレーティングテーブル（＝視聴制限用テーブル）の設定画面において、各視聴制限設定項目が一律に縦並び、或いは横並びの同一方向に並べて表示されていた。このため、現在表示されているレーティングテーブルの種別が、視聴制限項目を項目単位で設定するタイプのテーブル（以下、「項目別テーブル」という）か、レベル指定により全視聴制限項目が一括設定されるタイプのテーブル（以下、「レベル別テーブル」という）なのかが、直感的に分かりにくいという問題があった。
【００１２】
本発明は、上記の問題を鑑みてなされたものであり、ユーザがレーティング設定を行う設定画面において、レーティングテーブの種別を視覚的に理解しやすく表示することにより、適切なレーティング設定を行うことを可能とした放送受信装置を提供することを目的とする。
【課題を解決するための手段】
【００１３】
上記目的を達成するために本発明の放送受信装置は、放送受信部と、前記放送受信部により受信した放送の視聴制限に用いる視聴制限用テーブルを記録した記録部と、画像信号の生成、及び重畳を行い表示装置に出力する画像信号重畳部と、前記視聴制限用テーブルを用いて受信放送の視聴制限を行う視聴制限処理部と、視聴制限指示を受け付け、前記視聴制限指示に従い前記視聴制限用テーブルの内容変更を行うテーブル設定部とを備えた放送受信装置であって、前記視聴制限用テーブルが、視聴制限項目を項目単位で設定する項目別テーブルと、一視聴制限項目の設定に応じてテーブルに含まれる全ての視聴制限項目が一括設定されるレベル別テーブルとを含んでおり、前記テーブル設定部が、前記項目別テーブルの表示指示を受け付けた際に、前記画像信号重畳部を用いて、前記項目別テーブルが含む各視聴制限項目を横方向に並べて表示し、前記レベル別テーブルの表示指示を受け付けた際に、前記画像信号重畳部を用いて、前記レベル別テーブルが含む各視聴制限項目を縦方向に並べて表示することを特徴としている。
【００１４】
これによると、本発明の放送受信装置は、アンテナ及びチューナ等から構成される放送受信部と、視聴制限を行う際に参照されるレーティングテーブルを記録した記録部とを備えている。また、画像信号を生成して重畳することにより所定の画像を表示装置に表示するＯＳＤ（On Screen Display）処理部（＝画像信号重畳部）を備えている。また、レーティングテーブルを用いて視聴制限を行うＬＳＩであるＶ−Ｃｈｉｐ（＝視聴制限処理部）と、視聴制限指示を受けてレーティングテーブルの内容変更を行うテーブル設定部とを備えている。
【００１５】
さらにレーティングテーブルは、視聴制限項目を項目単位で設定する項目別テーブルと、一視聴制限項目を設定することによりその他の視聴制限項目が一括設定されるレベル別テーブルとを含んでいる。そしてテーブル設定部は、項目別テーブルの表示指示を受け付けると、項目別テーブルが含む各視聴制限項目を横方向に並べてＯＳＤ表示する。またテーブル設定部は、レベル別テーブルの表示指示を受け付けると、レベル別テーブルが含む各視聴制限項目を縦方向に並べてＯＳＤ表示する。これにより、テーブルの種別により異なる並び方で、テーブルを表示することができる。
【００１６】
また、上記目的を達成するために本発明の放送受信装置は、前記テーブル設定部が、前記視聴制限用テーブルの設定変更指示を受け付けた際に、前記設定変更指示に含まれるテーブル種別、或いは前記視聴制限用テーブルの管理情報に含まれるテーブル種別から、前記視聴制限用テーブルが前記項目別テーブルであるか、或いは前記レベル別テーブルであるかの判別を行うことを特徴としている。
【００１７】
これによると、本発明の放送受信装置は、テーブル設定部がレーティングテーブルの設定変更指示を受け付けると、設定変更指示に含まれるテーブル種別、或いはレーティングテーブルの管理情報に含まれるテーブル種別の確認を行う。そして得られたテーブル種別から、設定変更指示されたレーティングテーブルが項目別テーブルであるか、或いはレベル別テーブルであるかの判別を行う。そしてテーブル種別に応じた並び方で各視聴制限項目を表示し、各視聴制限項目の設定変更指示を待ち受ける。このため、テーブル種別に応じた表示を確実に行うことができる。
【００１８】
また、上記目的を達成するために本発明の放送受信装置は、前記視聴制限処理部が、前記テーブル設定部により設定された視聴制限用テーブルと、前記放送受信部により受信された放送信号に含まれる視聴制限フラグとを照合することにより、前記放送信号に含まれる画像及び音声の出力の許可／不許可を決定することを特徴としている。
【００１９】
これによると、本発明の放送受信装置が備えるＶ−Ｃｈｉｐは、テーブル設定部により設定されたレーティングテーブルと、放送受信部により受信された放送信号に含まれる視聴制限フラグとを照合する。そして視聴制限フラグにおいて有効となっているフラグが、レーティングテーブルにおいてブロック（＝視聴不可）に設定されている場合、受信した放送信号に含まれる画像及び音声の出力を、信号処理回路や表示部に対して禁止する。これにより、好ましくない放送信号を受信した場合であっても、ユーザの視聴を制限することができる。
【発明の効果】
【００２０】
本発明によれば、レーティングテーブルの表示指示を受け付けた際に、テーブルの種別に応じて異なる並び方でレーティングテーブルを表示することができる。このためユーザは、現在表示されているレーティングテーブルがいかなる種別のテーブルであるかを一目で確認できる。従って効率良く設定作業を行うことができるとともに、テーブル種別の誤認識による不適切な設定、或いはユーザが本来意図しない設定の防止を行うことができる。
【００２１】
また、本発明によれば、レーティングテーブルの設定変更指示を受け付けた際に、設定変更指示に含まれるテーブル種別、或いはレーティングテーブルの管理情報に含まれるテーブル種別をもとに、レーティングテーブルの表示処理を行う。従って、テーブル種別を確実に取得できると共に、テーブル種別に応じた好ましい表示方法で、テーブルに含まれる設定禁止項目の表示処理を行うことができる。
【００２２】
また、本発明によれば、Ｖ−Ｃｈｉｐは、テーブル設定部により設定されたレーティングテーブルと、放送受信部により受信された放送信号に含まれる視聴制限フラグとを照合することにより、受信放送の出力の可／不可を決定する。このため、設定画面において設定された各視聴制限項目により、適切な視聴制限を行うことができる。
【発明を実施するための最良の形態】
【００２３】
以下に本発明の実施形態を、図面を参照しながら説明する。なお、ここで示す実施形態は一例であり、本発明はここに示す実施形態に限定されるものではない。
【００２４】
〈１．内部構成について〉
図２は、本発明に係るテレビジョン装置１（＝放送受信装置）を示すブロック構成図である。テレビジョン装置１は、少なくとも、制御部１１、メモリ１２、フラッシュメモリ１３（＝記録部）、チューナ１４、信号処理部１５、音声回路１６、スピーカ１７、色再生回路１８、ＯＳＤ処理部１９（＝画像信号重畳部）、モニタ２０、操作ボタン群２１、及びリモコン受信部２２台を含むように構成されている。また外部装置として、リモコン６０を備えている。
【００２５】
制御部１１は、テレビジョン装置１の各装置を制御するための複数のＬＳＩから構成される演算装置である。これにより制御部１１は、チューナ１４により受信したテレビ放送の表示処理を統括制御する。また制御部１１は、放送番組の視聴制限を行うためのＶ−Ｃｈｉｐと呼ばれるＬＳＩを含むように構成されている。なお、Ｖ−Ｃｈｉｐの詳細については後述する。
【００２６】
メモリ１２は、テレビジョン装置１が保持する各種データを一時的に記録する媒体であり、例えば書込可能なＲＡＭ（Random Access Memory）等により構成されている。メモリ１２は、例えば制御部１１によって各種情報処理が行われる際の処理データや、ユーザから受けた指示命令等を一時的に記録しておくためのバッファメモリとしての役割を持つ。
【００２７】
フラッシュメモリ１３は、書き換え可能であり、電源を切ってもデータが消えない不揮発性半導体メモリである。フラッシュメモリ１３はＥＥＰＲＯＭの一種であるが、ＥＥＰＲＯＭとは異なり１バイト単位の書き換えはできず、あらかじめブロック単位で消去してから書き込みを行う。本発明では、受信番組の視聴制限を行うためのレーティングテーブル（＝視聴制限用テーブル）の記録等に用いられる。
【００２８】
チューナ１４は、テレビ放送の選局、及び高周波信号の受信を行うと共に、高周波信号の増幅及び周波数変換を行うことにより中間周波信号を得る。得られた中間周波信号は、次の信号処理部１５に与えられる。
【００２９】
信号処理部１５は、チューナ１４から入力された中間周波信号の増幅及び検波を行うことにより、音声信号と画像信号とを得る。また、中間周波信号に含まれる各種付随データ、例えばＥＰＧ（Electronic Program Guide）データや後述する視聴制限フラグデータ等を抽出する。音声信号は音声回路１６へ、画像信号は色再生回路１８へ、付随データは制御部１１へ与えられる。
【００３０】
音声回路１６は、信号処理部１５より与えられた音声信号にＤ／Ａ変換及び増幅処理を行い、音声をスピーカ１７より出力する。色再生回路１８は、信号処理部１５から与えられた画像信号を、原色信号に変換する。変換により得られた原色信号は、ＯＳＤ処理部１９に与えられる。
【００３１】
ＯＳＤ処理部１９は、文字情報等を示すための画像信号を原色信号に重畳する。ＯＳＤ処理部１９は例えば、視聴制限機能の設定指示が発行された場合において、視聴制限設定を行うための各種レーティングテーブルを示すテーブル画像等を表示すための画像信号を重畳する。重畳が行われた原色信号はモニタ２０に出力されて表示される。モニタ２０は、液晶素子やバックライト等から構成される表示装置である。
【００３２】
操作ボタン群２１は、ユーザが選局指示や電源の起動／停止指示等の各種指示をテレビジョン装置１に対して行うためのものである。操作ボタン群２１により出力された指示は、制御部１１により受け付けられ、指示の内容に基づいて各種制御処理を行う。
【００３３】
リモコン受信部２２は、リモコン６０から送信される赤外線信号を受け付け、赤外線信号に含まれているリモコンコードを取得する。そしてリモコンコードに応じた制御指示を制御部１１に与える。リモコン６０はテレビジョン装置１を遠隔操作するための外部装置である。
【００３４】
〈２．機能部の構成について〉
ここで、本発明に係るテレビジョン装置１における視聴制限処理を実施すための各機能部の関係を、図１の機能ブロック図を用いながら説明する。
【００３５】
図１に示すように本発明の視聴制限処理は少なくとも、制御部１１が備えるＶ−Ｃｈｉｐ１１ａ（＝視聴制限処理部）、及びテーブル設定部１１ｂと、フラッシュメモリ１３と、チューナ１４と、信号処理部１５と、ＯＳＤ処理部１９と、モニタ２０と、操作ボタン群２１とにより構成される。
【００３６】
Ｖ−Ｃｈｉｐ１１ａは、レーティングテーブルにおいてあらかじめ設定された視聴制限設定に基づき、チューナ１４で受信するテレビ放送の視聴制限を行う。具体的には、信号処理部１５が放送信号より抽出した附属データの中に含まれる視聴制限フラグデータをチェックする。視聴制限フラグデータは、放送番組毎に個別のフラグデータが付加されおり、その放送番組を視聴できる年齢、及び放送番組の属性（例えば性的な表現が含まれている等）を示すデータである。
【００３７】
Ｖ−Ｃｈｉｐ１１ａは、受信した視聴制限フラグデータと、あらかじめユーザ設定されてフラッシュメモリ１３に記録されているレーティングテーブルとを照らし合わせて、受信した放送番組の表示の許可／不許可を決定する。不許可となった場合Ｖ−Ｃｈｉｐ１１ａは、信号処理部１５に対して、該当する放送番組の画像信号及び音声信号の出力を禁止する。これにより、受信した放送番組がスピーカ１７及びモニタ２０より出力されるのを防止することができる。なお、レーティングテーブル及び視聴制限フラグの詳細については後述する。
【００３８】
テーブル設定部１１ｂは、レーティングテーブルの内容変更指示を受け付ける。なお、内容変更指示は、例えばＯＳＤ表示される設定画面においてユーザが操作ボタン群２１を用いてレーティングテーブル設定変更を選択すること等により発行される。内容変更指示を受け付けたテーブル設定部１１ｂは、ＯＳＤ処理部１９を用いて、図４〜図７に示すレーティングテーブル設定画面を表示する。この画面でユーザ操作を受け付けると、受け付けた操作に応じてレーティングテーブルの内容変更を行い、フラッシュメモリ１３に記録されている各レーティングテーブルの更新を行う。
【００３９】
〈３．レーティングテーブル設定画面について〉
ここで、本発明に係るテレビジョン装置１の視聴制限機能を実行するためのレーティングテーブル設定画面について、図４〜図７の画面図を用いながら説明する。
【００４０】
図４〜図７は、本発明の一実施形態に係るテレビジョン装置１において、視聴制限機能の設定指示が検知された際にモニタ２０に表示されるレーティングテーブル設定画面の一例である。レーティングテーブルには、複数の項目に対して個別に視聴制限設定を行うカテゴリカルテーブル（＝項目別テーブル）と、視聴制限レベルを指定することにより複数の項目を一括設定するオーディナルテーブル（＝レベル別テーブル）との二種類が存在する。
【００４１】
図４及び図５に示すレーティングテーブル設定画面５０は、カテゴリカルテーブルの設定画面である。レーティングテーブル設定画面５０は少なくとも、カテゴリカルテーブル５１、及びカーソル５２を含むように構成されている。カテゴリカルテーブル５１は、複数の設定項目を横並びに並べて表示したテーブルであり、上段に各設定項目の項目名が、下段に各設定項目の設定値を含むように構成されている。
【００４２】
図４に示す例では、設定項目として「暴力」、「言語」、「対話」、「性的」の四つの設定項目が存在する。ユーザは操作ボタン群２１を操作することによりカーソル５２を左右に移動させ、設定対象の項目を選択することが可能である。そして選択した項目に対して、視聴の可／不可の選択を行う。視聴可に選択された項目は「Ｖ（Visible）」が、視聴不可に選択された項目は「Ｂ（Block）」が設定値として設定される。
【００４３】
例えば図４において、カーソル５２が「対話」の項目にあわせられ、「対話」項目の設定値がＶからＢに変更された場合、カテゴリカルテーブル５１は図５に示す状態に変化する。この状態においては、放送信号に含まれる視聴制限フラグの「対話」フラグが有効になっている放送番組は、受信しても出力を制限し、ユーザが視聴できないようにする。なお、「対話」項目とは、放送番組の中に過激な会話、例えば一般道徳に反すると解釈される会話表現が多数含まれていることを示す項目である。
【００４４】
視聴制限用フラグデータのデータ構造の一例について、図８を用いて説明する。図８は放送信号のＶＢＩ（Vertical Blanking Interval）領域等に含まれる複数の視聴制限用フラグデータのうち、カテゴリカルテーブル５１に対応するフラグデータ（以下、「カテゴリカルフラグ」という）の一例を示したものである。図８に示す例では、カテゴリカルフラグは４ビットのデータ構造をしている。１ビット目が「暴力」フラグ、２ビット目が「言語」フラグ、３ビット目が「対話」フラグ、４ビット目が「性的」フラグとなっている。
【００４５】
各ビットの値が１の場合は有効、０の場合は無効を示している。図８に示す例では、「暴力」と「言語」が１（＝有効）となっているため、この番組放送は、暴力的な表現、及び荒っぽい言語を含むことが示されている。放送信号を受信した制御部１１は、このカテゴリカルフラグと前述のカテゴリカルテーブル５１を照合する。そしてカテゴリカルテーブル５１において設定値が「Ｂ」となっている項目が、カテゴリカルフラグにおいて有効となっている場合、そのカテゴリカルフラグを含む番組放送の出力を禁止する。
【００４６】
例えば、カテゴリカルテーブル５１が図５に示す状態であり、かつ放送信号に含まれるカテゴリカルフラグが図８に示す状態であったとする。この場合、設定値が「Ｂ」となっている「対話」項目のフラグが０（＝無効）であるため、視聴制限は行われず、従って通常通り画像及び音声の出力が行われる。
【００４７】
次に、オーディナルテーブルの構成について説明する。図６及び図７に示すレーティングテーブル設定画面６０は、オーディナルテーブルの設定画面である。レーティングテーブル設定画面６０は少なくとも、オーディナルテーブル６１、及びカーソル６２を含むように構成されている。オーディナルテーブル６１は、複数の設定項目を縦並びに並べて表示したテーブルであり、左欄に各設定項目の項目名が、右欄に各設定項目の設定値を含むように構成されている。オーディナルテーブル６１は例えば、視聴者の年齢に基づいた年齢視聴制限を行うのに用いられる。
【００４８】
図６に示す例では、設定項目として「６歳以下視聴禁止番組」〜「２０歳以下視聴禁止番組」の五つの設定項目が存在する。ユーザは操作ボタン群２１を操作することによりカーソル６２を上下に移動させ、設定対象の項目を選択することが可能である。そして選択した項目に対して、視聴の可／不可の選択を行う。視聴可に選択された項目は「Ｖ」が、視聴不可に選択された項目は「Ｂ」が設定値として設定される。
【００４９】
オーディナルテーブル６１は、カテゴリカルテーブル５１とは異なり、「Ｖ」設定された場合はその設定項目の上位項目が全て「Ｖ」に設定される。また「Ｂ」が設定された場合がその設定項目の下位項目が全て「Ｂ」に設定される。
【００５０】
例えば図６おいて、カーソル５２が「１２歳以下視聴禁止番組」の項目にあわせられ、「１２歳以下視聴禁止番組」項目の設定値がＶからＢに変更された場合、オーディナルテーブル６１は図７に示す状態に変化する。この状態においては、放送信号に含まれる視聴制限フラグの「１２歳」〜「２０歳」フラグが有効になっている放送番組は、受信しても出力を制限し、ユーザが視聴できないようにする。
【００５１】
図９は放送信号のＶＢＩ領域等に含まれる複数の視聴制限用フラグデータのうち、オーディナルテーブル６１に対応するフラグデータ（以下、「オーディナルフラグ」という）を示したものである。図９に示す例では、オーディナルフラグは５ビットのデータ構造をしている。１ビット目が「６歳」フラグ、５ビット目が「２０歳」フラグとなっている。
【００５２】
各ビットの値が１の場合は有効、０の場合は無効を示している。図９示す例では、「１８歳」が１（＝有効）となっているため、この番組放送は、１８歳以下視聴禁止番組であることが示されている。放送信号を受信した制御部１１は、このオーディナルフラグと前述のオーディナルテーブル６１を照合する。そしてオーディナルテーブル６１において設定値が「Ｂ」となっている項目が、オーディナルフラグにおいて有効となっている場合、そのオーディナルフラグを含む番組放送の出力を禁止する。
【００５３】
例えば、オーディナルテーブル６１が図７に示す状態であり、かつ放送信号に含まれるオーディナルフラグが図８に示す状態であったとする。この場合、設定値が「Ｂ」となっている「１８歳以下視聴禁止番組」項目のフラグが１（＝有効）であるため、視聴制限が行われ、画像及び音声の出力が禁止される。
【００５４】
〈４．レーティングテーブル変更処理について〉
ここで、本発明の一実施形態に係るテレビジョン装置１のレーティングテーブル変更処理を、図１及び図２のブロック図と、図３のフロー図と、図４〜図７の画面図とを用いながら説明する。
【００５５】
図３は、本発明に係る光ディスクのレーティングテーブル変更処理の処理フローを示したフローチャートである。本処理は、ＯＳＤ処理部１９が表示するメニュー画面等において、ユーザが操作ボタン群２１、或いはリモコン６０を操作することによりレーティングテーブル変更の実行が選択された場合に開始される。また或いは、リモコン６０に備えられた設定変更ボタン（不図示）の押下により発信されるリモコンコードを検知することにより開始する形態であってもよい。
【００５６】
本処理の開始後、テーブル設定部１１ｂはステップＳ１１０において、ユーザより受け付けた設定変更指示から、変更対象のレーティングテーブルの種別を取得する。そしてステップＳ１２０において、取得した種別がカテゴリカルであるか、或いはオーディナルであるかの判定を行う。
【００５７】
カテゴリカルであると判定された場合、テーブル設定部１１ｂはステップＳ１３０において、フラッシュメモリ１３よりカテゴリカルテーブル５１の読み出しを行う。そしてステップＳ１４０において、カテゴリカルテーブル５１を、図４及び図５に示すように、各設定項目が横並びとなるように表示する。
【００５８】
再びステップＳ１２０に戻って説明すると、ステップＳ１２０においてオーディナルであると判定された場合、テーブル設定部１１ｂはステップＳ１３１において、フラッシュメモリ１３よりオーディナルテーブル６１の読み出しを行う。そしてステップＳ１４１において、オーディナルテーブル６１を、図６及び図７に示すように、レベル設定項目が縦並びとなるように表示する。
【００５９】
次にテーブル設定部１１ｂはステップＳ１５０において、ステップＳ１４０により表示されたカテゴリカルテーブル５１、或いはステップＳ１４１により表示されたオーディナルテーブル６１の変更指示を待ち受ける状態になる。この状態においてユーザは、カーソル５２或いはカーソル６２を用いて項目の選択及び設定変更を行うことができる。
【００６０】
次にテーブル設定部１１ｂはステップＳ１６０において、指示待ち受け状態に移行してから所定時間内にユーザ操作による変更指示を受け付けたかどうかの判定を行う。所定時間内に変更指示を受け付けなかった場合、テーブルの表示を停止して本処理を終了する。逆に所定時間内に変更指示を受け付けた場合、受け付けた変更内容をフラッシュメモリ１３に記録されている各テーブルに反映した後、テーブルの表示を停止し、本処理を終了する。
【００６１】
［その他の実施の形態］
以上、好ましい実施の形態及び実施例をあげて本発明を説明したが、本発明は必ずしも上記実施の形態に限定されるものではなく、その技術的思想の範囲内において様々に変形して実施することができる。
【００６２】
従って本発明は、以下の形態にも適用可能である。
（Ａ）本実施形態では、カテゴリカルテーブルとして四項目からなるカテゴリカルテーブル５１、またオーディナルテーブルとして五項目からなるオーディナルテーブル６１を例に説明しているが、これ以外の項目数のカテゴリカルテーブル及びオーディナルテーブルを用いて本発明のテーブル設定画面表示処理を実施する形態であっても構わない。
【００６３】
（Ｂ）本実施形態では、放送受信装置としてテレビジョン装置１を例にあげているが、これ以外の放送受信装置を用いて本発明を実施する形態でもよい。例えば、チューナを備えたＳＴＢ（Set Top Box）、ＶＣＲ（Video Cassette Recorder）、ハードディスクレコーダ、パソコン等を用いる形態であってもよい。
【００６４】
（Ｃ）本実施形態では、レーティングテーブル設定画面表示処理、及び視聴制限処理に関わる各種機能部が、ＬＳＩ等の演算処理装置上でプログラムを実行することにより実現されているが、各種機能部が複数の回路により実現される形態でもよい。
【図面の簡単な説明】
【００６５】
【図１】は、本発明の放送受信装置が備える機能部の構成を示す機能ブロック図である。
【図２】は、本発明の放送受信装置を示す構成図である。
【図３】は、本発明のレーティングテーブル表示処理の処理フローを示すフロー図である。
【図４】は、本発明のカテゴリカルテーブル設定画面を示す画面図である。
【図５】は、本発明のカテゴリカルテーブル設定画面を示す画面図である。
【図６】は、本発明のオーディナルテーブル設定画面を示す画面図である。
【図７】は、本発明のオーディナルテーブル設定画面を示す画面図である。
【図８】は、本発明の放送受信装置が受信する視聴制限フラグの構成を示すブロック図である。
【図９】は、本発明の放送受信装置が受信する視聴制限フラグの構成を示すブロック図である。
【符号の説明】
【００６６】
１      テレビジョン装置（放送受信装置）
１１    制御部
１１ａ  Ｖ−Ｃｈｉｐ（視聴制限処理部）
１１ｂ  テーブル設定部
１３    フラッシュメモリ（記録部）
１９    ＯＳＤ処理部（画像信号重畳部）
【図１】
2009081548.tif 000003
【図２】
2009081548.tif 000004
【図３】
2009081548.tif 000005
【図４】
2009081548.tif 000006
【図５】
2009081548.tif 000007
【図６】
2009081548.tif 000008
【図７】
2009081548.tif 000009
【図８】
2009081548.tif 000010
【図９】
2009081548.tif 000011